(57)【特許請求の範囲】
【請求項１】
空気袋を備えた足囲み部と空気袋に空気の供給を行う空気供給手段を有し、空気袋を膨縮させて足囲み部で囲んだ足の施療部位をマッサージするエアーフットマッサージ機において、足囲み部により囲まれる足の施療部位の太さを測定するための足太さ測定手段を備え、該足太さ測定手段が、足囲み部により足の施療部位を囲んだ状態で前記空気袋に空気の供給を開始してから当該空気袋の圧力上昇が開始されるまでの時間が長い場合に施療部位の太さが細いと判定すると共に短い場合に施療部位の太さが太いと判定するものであり、判定後に予め決めた圧力となるよう前記空気袋の圧力を制御してマッサージを行うものであることを特徴とするエアーフットマッサージ機。
【請求項２】
空気袋を備えた足囲み部と空気袋に空気の供給を行う空気供給手段を有し、空気袋を膨縮させて足囲み部で囲んだ足の施療部位をマッサージするエアーフットマッサージ機において、足囲み部により囲まれる足の施療部位の太さを測定するための足太さ測定手段を備え、足太さ測定手段が、足囲み部により足の施療部位を囲んだ状態で前記空気袋に供給される空気により上昇する当該空気袋の圧力値の上昇勾配が大きいと施療部位が太いと判定すると共に上昇勾配が小さいと施療部位が細いと判定するものであり、判定後に予め決めた圧力となるよう前記空気袋の圧力を制御してマッサージを行うものであることを特徴とするエアーフットマッサージ機。
【請求項３】
空気袋を備えた足囲み部と空気袋に空気の供給を行う空気供給手段を有し、空気袋を膨縮させて足囲み部で囲んだ足の施療部位をマッサージするエアーフットマッサージ機において、足囲み部により囲まれる足の施療部位の太さを測定するための足太さ測定手段を備え、足太さ測定手段が、足囲み部により足の施療部位を囲んだ状態で前記空気袋に供給される空気により圧力値を上昇させ、所定の設定された圧力値まで到達させた後に空気の供給を停止し、その後の前記空気袋の空気圧の下降勾配が大きいと施療部位が太いと判定すると共に下降勾配が小さいと施療部位が細いと判定するものであり、判定後に予め決めた圧力となるよう前記空気袋の圧力を制御してマッサージを行うものであることを特徴とするエアーフットマッサージ機。
【請求項４】
空気袋の空気圧の下降勾配により足の施療部位の太さを測定して圧力減圧値が安定した後に空気袋を膨縮してマッサージを行うように制御する制御部を設けて成ることを特徴とする請求項３記載のエアーフットマッサージ機。
【請求項５】
足囲み部に複数の空気袋を身長方向に独立して設け、各々の空気袋部分の圧力を独立して測定することで足の身長方向の複数の部位の太さを測定することを特徴とする請求項１乃至請求項４のいずれかに記載のエアーフットマッサージ機。
【請求項６】
足太さ測定手段による足囲み部で囲んだ足の施療部位の太さの検知結果に基づいて、空気供給手段による空気袋への空気の供給を変化させてマッサージモードを変化させることを特徴とする請求項１乃至請求項５のいずれかに記載のエアーフットマッサージ機。
【請求項７】
足囲み部で足の施療部位を囲んだ状態で足囲み部の身長方向の位置を規制するための位置規制手段を設けて成ることを特徴とする請求項１乃至請求項６のいずれかに記載のエアーフットマッサージ機。
【請求項８】
足囲み部で足の施療部位を囲んだ状態で足囲み部の身長方向の位置を規制するための位置規制手段を設けると共に位置規制手段による身長方向の位置規制量を変化する機能を有していることを特徴とする請求項７記載のエアーフットマッサージ機。
【発明の詳細な説明】
【０００１】
【発明の属する技術分野】
本発明は、エアバック等の空気袋を膨縮させて足を圧縮解放してマッサージを行うエアーフットマッサージ機に関するものである。
【０００２】
【従来の技術】
従来からエアバック等の空気袋を膨縮させて足を圧縮解放してマッサージを行うエアーフットマッサージ機が知られているが、このエアーフットマッサージ機は図１２に示すように足５の施療部位に巻き付けるためのエアーバック等の空気袋を備えた足囲み部２と、空気袋に空気を供給する空気供給手段３と、空気袋の圧力を管理する圧力管理部４とを備えたもので、足囲み部２をマッサージを行おうとする人体の足５の施療部に覆うように巻き付け、空気供給手段３により空気袋に空気を供給して空気袋を膨張させ、圧力管理部４に設けた排気弁を開いて排気することで空気袋を収縮させて空気袋を膨縮して足の施療部位をマッサージするようになっており、この時圧力管理部４であらかじめ決められた圧力を測定して排気弁の開閉制御、空気供給手段３の制御を行うようになっている。
【０００３】
ここで、施療部位である足５に対する空気袋の膨縮によるマッサージは従来ある所定の圧力となるように設定管理しており、マッサージに当たって施療部位に対する圧縮力の設定を行い、任意にマッサージの強さを調整できることに対しては十分効果があるが、エアーフットマッサージ機１でマッサージしようとする足５は個々人の足太さが異なり、また、マッサージしようとする足５の施療部位の位置が違うと施療部位の太さが違うものであり、これらのマッサージしようとする足５の施療部位の太さの違いに対応した最適なマッサージ効果を提供するという点では十分ではないという問題がある。
【０００４】
【発明が解決しようとする課題】
本発明は上記の点に鑑みてなされたものであり、簡単な構成で足の施療部位の太さを測定でき、施療部位の太さを求めることで施療部位の太さに適した最適のマッサージができるようにするためのデータとして反映することができるエアーフットマッサージ機を提供することを課題とするものである。
【０００５】
【課題を解決するための手段】
上記課題を解決するために本発明に係るエアーフットマッサージ機は、空気袋を備えた足囲み部２と空気袋に空気の供給を行う空気供給手段３を有し、空気袋を膨縮させて足囲み部２で囲んだ足の施療部位をマッサージするエアーフットマッサージ機１において、足囲み部２により囲まれる足５の施療部位の太さを測定するための足太さ測定手段６を備えているので、足囲み部２により囲まれる足５の施療部位の状態（太さ）を確認できるものである。
【０００６】
また、足太さ測定手段６が、足囲み部２により足５の施療部位を囲んだ状態で前記空気袋に空気の供給を開始してから当該空気袋の圧力上昇が開始されるまでの時間が長い場合に施療部位の太さが細いと判定すると共に短い場合に施療部位の太さが太いと判定するものであり、判定後に予め決めた圧力となるよう前記空気袋の圧力を制御してマッサージを行うものであることが好ましい。このように足囲み部２により足５の施療部位を囲んだ状態で空気袋に空気の供給を開始してから空気袋の圧力上昇が開始されるまでの時間により足５の施療部位の太さを測定することで、簡単に足囲み部２により囲まれる足５の施療部位の状態（太さ）を確認できるものである。
【０００７】
また、足太さ測定手段６が、足囲み部２により足５の施療部位を囲んだ状態で前記空気袋に供給される空気により上昇する当該空気袋の圧力値の上昇勾配が大きいと施療部位が太いと判定すると共に上昇勾配が小さいと施療部位が細いと判定するものであり、判定後に予め決めた圧力となるよう前記空気袋の圧力を制御してマッサージを行うものであることが好ましい。このように足囲み部２により足５の施療部位を囲んだ状態で空気袋に供給される空気により上昇する圧力値の上昇勾配により足５の太さを測定することで、圧力値の上昇勾配がある決められた値よりも大きいければ施療部位が太く、圧力値の上昇勾配がある決められた値よりも小さければ施療部位が細いと判定し、簡単に足囲み部２により囲まれる足５の施療部位の状態（太さ）を確認できるものである。
【０００８】
また、足太さ測定手段６が、足囲み部２により足の施療部位を囲んだ状態で前記空気袋に供給される空気により圧力値を上昇させ、所定の設定された圧力値まで到達させた後に空気の供給を停止し、その後の前記空気袋の空気圧の下降勾配が大きいと施療部位が太いと判定すると共に下降勾配が小さいと施療部位が細いと判定するものであり、判定後に予め決めた圧力となるよう前記空気袋の圧力を制御してマッサージを行うものであることが好ましい。このように足囲み部２により足を包み込んだ状態で空気袋に供給される空気により圧力値を上昇させ、所定の設定された圧力値まで到達させた後に空気の供給を停止し、その後の空気袋の減圧度合いにより足５の施療部位の太さを測定することで、減圧値が大きければ施療部位が太く、減圧値が小さければ施療部位が細いと判定し、簡単に足囲み部２により囲まれる足５の施療部位の状態（太さ）を確認できるものである。
【０００９】
また、空気袋の空気圧の下降勾配により足５の施療部位の太さを測定して圧力減圧値が安定した後に空気袋を膨縮してマッサージを行うように制御する制御部７を設けることが好ましい。このように、所定の圧力値にした後に、空気の供給を停止し、その後に排気弁を開にした初期における空気圧の下降勾配により減圧値を求めて足の施療部位の太さを測定し、その後、安定した通常の下降勾配となるので、この通常の下降勾配となるとそのままマッサージをスタートするように制御するものであり、これにより足囲み部２による巻き付け又は包み込みが安定した状態（ねらいの圧力値）からマッサージ運転をスタートすることができて、目的とする圧力値のマッサージが行えることになる。
【００１０】
また、足囲み部２に複数の空気袋を身長方向に独立して設け、各々の空気袋部分の圧力を独立して測定することで足の身長方向の複数の部位の太さを測定することが好ましい。このような構成とすることで、足囲み部２により囲まれる足５の施療部位の身長方向の複数の部位の太さを正確に測定することができるものである。
【００１１】
また、足太さ測定手段６による足囲み部２で囲んだ足５の施療部位の太さの検知結果に基づいて、空気供給手段３による空気袋への空気の供給を変化させてマッサージモードを変化させることが好ましい。このような構成とすることで、足囲み部２により囲まれる足５の施療部位の身長方向の複数の部位の太さを正確に測定し、この施療部位の身長方向の複数の部位の太さに応じて各部位毎の最適マッサージを行うことができることになる。
【００１２】
また、足囲み部２で足５の施療部位を囲んだ状態で足囲み部２の身長方向の位置を規制するための位置規制手段１０を設けることが好ましい。このような構成とすることで、足囲み部２を取付ける際の足囲み部２の身長方向におけるずれを無くして常に安定した足の太さが測定できるものである。
【００１３】
また、足囲み部２で足の施療部位を囲んだ状態で足囲み部２の身長方向の位置を規制するための位置規制手段１０を設けると共に位置規制手段による身長方向の位置規制量を変化する機能を有していることが好ましい。足囲み部２を取り付ける人が異なっても、身長方向の位置決めの長さを変えることで、どんな人においても位置決めを設定することができて一定の条件で足の太さを測定することができるものである。
【００１４】
【発明の実施の形態】
以下、本発明を添付図面に示す実施形態に基づいて説明する。
【００１５】
エアーフットマッサージ機１は図１に示すように、空気袋を備えた足囲み部２と、空気袋に空気の供給を行う空気供給手段３と、空気袋の圧力を管理する圧力管理部４とを備えたものである。圧力管理部４には排気弁、圧力の検知手段、足太さ測定手段６、制御部７等が設けてある。エアーフットマッサージ機１は、空気袋を備えた足囲み部２をマッサージを行おうとする人体の足５の施療部に覆うように巻き付け、空気供給手段３により足囲み部２に設けた空気袋に空気を供給して空気袋を膨張させ、圧力管理部４に設けた排気弁を開いて排気することで空気袋を収縮させ、このようにして空気袋の膨縮を繰り返して足囲み部２で囲んだ足５の施療部をマッサージするようになっており、この時圧力管理部４であらかじめ決められた圧力を測定して圧力管理部４に設けた制御部７により排気弁の開閉制御、空気供給手段３の制御を行うようにしている。
【００１６】
空気袋を備えた足囲み部２は例えば、足５の施療部位に巻き付けて施療部位を巻き込むタイプのもの、あるいは筒状をしていて足５を入れて足５の施療部位を包み込むようタイプのものがある。
【００１７】
上記のような構成の本発明のエアーフットマッサージ機１には更に足囲み部２により囲まれる足５の施療部位の太さを測定するための足太さ測定手段６を備えている（実施形態では上記のように圧力管理部４に足太さ測定手段６が設けてある）。すなわち、図２に示すように、足囲み部２で足５を囲んだ状態で、足囲み部２に備えた空気袋への空気供給手段３による空気の供給、つまり空気袋への加圧をスタートし、空気袋への空気の供給により空気袋の圧力を圧力管理部４に設けた圧力検知手段により検知し、これに基づいて足太さ測定手段６により足５の施療部位の状態（つまり施療部位の太さ）を判定し、次に、エアーフットマッサージをスタートするものである。つまり、本実施形態においては圧力管理部４に設けた圧力検知手段により空気袋の圧力を検知し、この圧力検知手段による圧力検知を基にして下記のような種々な方法により足の施療部位の状態である太さを測定するようになっている。
【００１８】
圧力管理部４に設けた圧力検知手段で測定する圧力検知を基にして足太さ測定手段６により施療部位の太さを測定する一実施形態を図３に示す。この図３に示すように、足囲み部２により足５の施療部位を囲んだ状態で空気供給手段３により空気袋に空気を供給すると、空気袋が施療部位に接触するまで空気袋の圧力上昇の開始（圧力立ち上がり）がなされず、空気袋が施療部位に接触した後に空気袋の圧力上昇が開始されるものであり、この圧力上昇の開始は圧力管理部４に設けた圧力検知手段により検知することができ、空気袋に空気の供給の開始から供給される空気により上昇する圧力の圧力値立ち上がり開始を圧力検知手段により検知するまでの時間を足太さ測定手段６を構成する立ち上がり時間測定手段により測定することができるようになっている。そして、足囲み部２により足５の施療部位を囲んだ状態で空気供給手段３により空気袋に空気の供給を開始してから供給される空気により上昇する圧力の圧力値立ち上がり開始までの時間が長い程足囲み部２により囲まれた施療部位が細く、上記圧力値立ち上がり開始までの時間が短い程足囲み部２により囲まれた施療部位が太いことになる。したがって、本実施形態においては、足太さ測定手段６により空気袋への空気供給手段３による空気供給開始（加圧開始時ｇ）から空気袋の圧力値上昇開始時ｆまでの時間を測定することで足５の施療部位の太さを測定することができる。
【００１９】
判定の基準としてはｆ−ｇの値の大小により判定を行うものであり、例えば、あらかじめ値Ａ、値Ｂ（ここでＡ＞Ｂ）を設定しておき、ｆ−ｇ≧Ａの場合には施療部位の太さが細いと判定し、Ａ＞ｆ−ｇ≧Ｂの場合には施療部位の太さが中の太さと判定し、ｆ−ｇ＜Ｂ場合には施療部位の太さが太いと判定するものである。
【００２０】
次に、図４に基づいて本発明の他の実施形態を説明する。足囲み部２により足の施療部位を囲んだ状態で空気供給手段３により空気を供給し、空気袋が施療部位に接触すると図４に示すように空気袋の圧力が上昇していくのであるが、施療部位の状態、つまり、施療部位が太いと空気袋の圧縮による施療部位からの押し返しが大きく、空気袋への空気の供給量が同じであれば圧力管理部４に設けた圧力検知手段による圧力の上昇勾配が大きくなり、施療部位が細いと空気袋の圧縮による施療部位からの押し返しが小さく、空気袋への空気の供給量が同じであれば圧力管理部４に設けた圧力検知手段による圧力の上昇勾配が小さくなる。このように施療部位の太さにより上記空気袋に供給される空気によって上昇する圧力値の上昇傾き度合いが変化するものである。そこで、本実施形態においては、足太さ測定手段６により空気袋の圧力値の上昇傾き度合を検知することで、足５の施療部位の太さを測定するとができる。例えば、図４において、Ｃは圧力の上昇勾配が大きいので施療部位が太いと判定し、Ｄは施療部位の太さが中と判定し、Ｅは圧力の上昇勾配が小さいので施療部位が細いと判定する。
【００２１】
次に、図５に基づいて本発明の他の実施形態を説明する。足囲み部２により足の施療部位を囲んだ状態で空気供給手段３により空気を供給し、空気袋が施療部位に接触すると図５に示すように空気袋の圧力が上昇するので、あらかじめ決められた値の圧力まで空気袋に空気を供給して加圧を行う。そして、図５に示すようにあらかじめ決められた圧力値（ｉ）で空気供給手段３による圧力を停止させて空気の供給を停止する。
【００２２】
このようにあらかじめ決められた圧力値（ｉ）で空気の供給を停止した後、排気弁を開にすると、図５のグラフのように、圧力値がｉポイントから下降するが、この場合、図５のｉポイントからの下降勾配は、空気の供給を停止して排気弁を開にした初期の時点では空気袋を足５の施療部位が押し返すので空気の抜け量が多くて下降勾配が急となり、その後、施療部位の押し返しによる空気の抜け量が無くなるので排気勾配が緩やかな通常の排気勾配となる。ところで、上記の排気弁を開にした初期の時点では空気袋を足５の施療部位が押し返すことによる空気の抜けは施療部位が太いほどより大量の空気が押し返されて空気袋から抜けるものであり、したがって上記排気弁を開にした初期における空気圧の下降勾配が大きくなり、施療部位が細いほど排気弁を開にした初期における空気圧の下降勾配が小さくなる。
【００２３】
したがって、所定の圧力値（ｉ）で空気の供給を停止した後、排気弁を開にした初期における空気圧の下降勾配により減圧値を求めることで、施療部位の太さを判定することができるものである。
【００２４】
ここで、上記のように、所定の圧力値にした後に、空気の供給を停止し、その後に排気弁を開にした初期における空気圧の下降勾配により減圧値を求めて足の施療部位の太さを測定するのであるが、その後、安定した通常の下降勾配となるので、この通常の下降勾配となるとそのままマッサージをスタートするように制御するものである。これにより足囲み部２による巻き付け又は包み込みが安定した状態（ねらいの圧力値）からマッサージ運転をスタートすることができて、目的とする圧力値のマッサージが行えることになる。
【００２５】
上記各実施形態においてはいずれも空気袋を備えた足囲み部２で足５の施療部位を囲んだ状態で空気供給手段３により空気袋に空気を供給し、空気袋の圧力を検知することで、この検知値を基にして足太さ測定手段により施療部位の足太さを測定するようにしているが、図６に示すように足囲み部２が足に巻き付ける構造のものの場合、足囲み部２に足に巻き付ける際の巻き付け量を測定するセンサ８を設けることで、巻き付け量をセンサ８で測定するという簡単な構成で足５の施療部位の太さを測定することができるようにしている。この参考例においては足囲み部２の足５の施療部位への巻き付け量を測定するセンサ８が足太さ測定手段６を構成している。
【００２６】
図６には足囲み部２を足への巻き付けを行う巻装帯９により構成し、この巻装帯９の端部に巻装帯９を施療部位に巻き付けた際に巻装帯９の端部の接合量を測定するセンサ８を設け、該センサ８で巻装帯９の端部の接合量を測定する（つまり巻き付け量を測定する）ことで、施療部位の太さを測定するようにしている。すなわち、図６（ｂ）には足５の施療部位への巻き付けを行う巻装帯９を展開した状態を示し、巻装帯９の一端部に巻き方向に複数のスイッチ１１（１１ａ、１１ｂ、１１ｃ……）を設け、巻装帯９の他端部にスイッチ１１を押圧するためのスイッチ押圧部１２を設け、巻装帯９を足５の施療部位への巻き付けた際にスイッチ押圧部１２により複数のスイッチ１１のうちどのスイッチ１１ａ、１１ｂ、１１ｃ……を押圧するかにより巻装帯９の端部の接合量を測定して施療部位の太さを求めるようにしている。したがって、この参考例においては複数のスイッチ１１とスイッチ押圧部１２によりセンサ８を構成している。
【００２７】
図７には本発明の更に他の実施形態が示してある。本実施形態は足囲み部２に複数の空気袋２ａを身長方向に独立して設け、各々の空気袋２ａ部分の圧力を独立して測定することで足の身長方向の複数の部位の太さを測定するようにしている。これにより足囲み部２により囲まれる足５の施療部位の身長方向の複数の部位の太さを正確に測定することができるものである。身長方向に複数設けた各空気袋２ａ部分における施療部位の太さの測定は上記した各実施形態における施療部位の測定のいずれの方法を用いてもよいものである。
【００２８】
上記各実施形態や参考例に示すようにして足５の施療部位の太さを測定するのであるが、この測定結果に基ついて測定した足５の施療部位の太さに適応したマッサージを行うように制御部７により制御するものである。
【００２９】
例えば、足囲み部２により足５の施療部位を巻き込み又は包み込んで上記のように施療部位の太さを測定し（図８、図９の施療部位の測定時間の間に上記各実施形態のいずれかの測定方法で測定する）、施療部位が太いと判定された場合、強めにマッサージしても痛くないので図８に示すように、加圧、減圧の差が大きくまた強めに押すための強いマッサージモードで運転するように制御するものであり、また、施療部位が細いと判定された場合、強いマッサージを行うと痛いので図９に示すように緩めに押す弱いマッサージモードで運転するように制御するものである。
【００３０】
ここで、図７のように足囲み部２に複数の空気袋２ａを身長方向に独立して設け、各々の空気袋２ａ部分の圧力を独立して測定して足の身長方向の複数の部位の太さを判定するものにおいては、各空気袋２ａ毎に足の身長方向の複数の部位の太さに対応したマッサージモードで運転するように制御するものである。
【００３１】
ところで、足囲み部２で足５の施療部位を囲んだ状態で足囲み部２の身長方向の位置を規制するための位置規制手段１０を設けることが好ましいものである。図１０には位置規制手段１０の一例が示してあり、足囲み部２の下部に帯状をした足裏引っ掛け部２０を設け、この足裏引っ掛け部２０を足裏に引っ掛けた状態で足囲み部２で足５の施療部位を囲んで上記のように施療部位の太さを測定してマッサージを行うことで、足囲み部２を取付ける際の足囲み部２の身長方向におけるずれを無くして常に安定して足の太さを測定し、足の太さに応じた効果的なマッサージを行うことができるものである。
【００３２】
この場合、位置規制手段１０による身長方向の位置規制量を変化することができるようにしてもよい。例えば、図１１に示すように足裏引っ掛け部２０を足囲み部２の下端部に帯状をした足裏引っ掛け部２０の一端部を固定し、この帯状をした足裏引っ掛け部２０の先端の自由端部又は足囲み部２の下端部の一方に面状ファスナーの雄部２１ａを、他方に雌部２１ｂを設けて、雄部２１ａと雌部２１ｂとの止着位置を選択することで、位置規制手段１０による身長方向の位置規制量を変化することができ、これにより足囲み部２を取り付ける人が異なっても、身長方向の位置決めの長さを変えることで、どんな人においても位置決めを設定することができて一定の条件で足の太さを測定することができるものである。
【００３３】
【発明の効果】
上記のように本発明にあっては、空気袋を備えた足囲み部と空気袋に空気の供給を行う空気供給手段を有するエアーフットマッサージ機において、足囲み部により囲まれる足の部位の太さを測定するための足太さ測定手段を備えているので、足囲み部により囲まれる足の施療部位の状態（太さ）を確認できるものである。
【００３４】
また、請求項１記載の発明にあっては、足太さ測定手段が、足囲み部により足の施療部位を囲んだ状態で前記空気袋に空気の供給を開始してから当該空気袋の圧力上昇が開始されるまでの時間が長い場合に施療部位の太さが細いと判定すると共に前記圧力値立ち上がり開始時間が短い場合に施療部位の太さが太いと判定するものであるので、足囲み部により足の施療部位を囲んだ状態で空気袋に供給される空気により上昇する圧力の圧力値立ち上がり開始時間により足の施療部位の太さを測定するという簡単な構成で、圧力値立ち上がり開始時間が短ければ施療部位が太く、圧力値立ち上がり開始時間が長ければ施療部位が細いと判定し、簡単に足囲み部により囲まれる足の施療部位の状態（太さ）を確認できるものである。
【００３５】
また、請求項２記載の発明にあっては、足太さ測定手段が、足囲み部により足の施療部位を囲んだ状態で空気袋に供給される空気により上昇する圧力値の上昇勾配が大きいと施療部位が太いと判定すると共に上昇勾配が小さいと施療部位が細いと判定するものであるので、足囲み部により足の施療部位を囲んだ状態で前記空気袋に供給される空気により上昇する圧力値の上昇傾き度合いにより足の太さを測定するという簡単な構成で、圧力値の上昇度合いがある決められた値よりも大きいければ施療部位が太く、圧力値の上昇度合いがある決められた値よりも小さければ施療部位が細いと判定し、簡単に足囲み部により囲まれる足の施療部位の状態（太さ）を確認できるものである。
【００３６】
また、請求項３記載の発明にあっては、足太さ測定手段が、足囲み部により足の施療部位を囲んだ状態で前記空気袋に供給される空気により圧力値を上昇させ、所定の設定された圧力値まで到達させた後に空気の供給を停止し、その後の前記空気袋の空気圧の下降勾配が大きいと施療部位が太いと判定すると共に下降勾配が小さいと施療部位が細いと判定するものであるので、足囲み部により足を包み込んだ状態で空気袋に供給される空気により圧力値を上昇させ、所定の設定された圧力値まで到達させた後に空気の供給を停止し、その後の空気袋の減圧度合いにより足の施療部位の太さを測定するという簡単な構成で、減圧値が大きければ施療部位が太く、減圧値が小さければ施療部位が細いと判定し、簡単に足囲み部により囲まれる足の施療部位の状態（太さ）を確認できるものである。
【００３７】
また、請求項４記載の発明にあっては、上記請求項３記載の発明の効果に加えて、空気袋の空気圧の下降勾配により足の施療部位の太さを測定して圧力減圧値が安定した後に空気袋を膨縮してマッサージを行うように制御する制御部を設けてあるので、所定の圧力値にした後に、空気の供給を停止し、その後に排気弁を開にした初期における空気圧の下降勾配により減圧値を求めて足の施療部位の太さを測定し、その後、安定した通常の下降勾配となるので、この通常の下降勾配となるとそのままマッサージをスタートするように制御するものであり、これにより足囲み部による巻き付け又は包み込みが安定した状態（ねらいの圧力値）からマッサージ運転をスタートすることができて、目的とする圧力値のマッサージが行えるものである。
【００３８】
また、請求項５記載の発明にあっては、上記請求項１乃至請求項４のいずれかに記載の発明の効果に加えて、足囲み部に複数の空気袋を身長方向に独立して設け、各々の空気袋部分の圧力を独立して測定することで足の身長方向の複数の部位の太さを測定するので、足囲み部により囲まれる足の施療部位の身長方向の複数の部位の太さを正確に測定することができるものである。
【００３９】
また、請求項６記載の発明にあっては、上記請求項１乃至請求項５のいずれかに記載の発明の効果に加えて、足太さ測定手段による足囲み部で囲んだ足の施療部位の太さの検知結果に基づいて、空気供給手段による空気袋への空気の供給を変化させてマッサージモードを変化させるので、足囲み部により囲まれる足の施療部位の身長方向の複数の部位の太さを正確に測定し、この施療部位の身長方向の複数の部位の太さに応じて各部位毎の最適マッサージを行うことができるものである。
【００４０】
また、請求項７記載の発明にあっては、上記請求項１乃至請求項６のいずれかに記載の発明の効果に加えて、足囲み部で足の施療部位を囲んだ状態で足囲み部の身長方向の位置を規制するための位置規制手段を設けるので、足囲み部を取付ける際の足囲み部の身長方向におけるずれを無くして常に安定した足の太さが測定できるものである。
【００４１】
また、請求項８記載の発明にあっては、上記請求項７記載の発明の効果に加えて、足囲み部で足の施療部位を囲んだ状態で足囲み部の身長方向の位置を規制するための位置規制手段を設けると共に位置規制手段による身長方向の位置規制量を変化する機能を有しているので、足囲み部を取り付ける人が異なっても、身長方向の位置決めの長さを変えることで、どんな人においても位置決めを設定することができて一定の条件で足の太さを測定することができるものである。
【図面の簡単な説明】
【図１】  本発明の概略構成図である。
【図２】  同上のフローチャートである。
【図３】  同上の足の施療部位の太さを測定する一例を示す説明図である。
【図４】  同上の足の施療部位の太さを測定する他例を示す説明図である。
【図５】  同上の足の施療部位の太さを測定する更に他例を示す説明図である。
【図６】  （ａ）は足の施療部位の太さを測定する参考例を示す説明図であり、（ｂ）は足囲み部の展開図であり、（ｃ）はセンサの説明図である。
【図７】  同上の空気袋を複数個設けてそれぞれ独立して施療部位の足の太さを測定する例を示す説明図である。
【図８】  同上の足の太さを測定して足が太い場合のマッサージの例を示す説明図である。
【図９】  同上の足の太さを測定して足が細い場合のマッサージの例を示す説明図である。
【図１０】  同上の位置規制手段を設けた例を示す説明図である。
【図１１】  同上の位置規制手段による身長方向の位置規制量を変化する例の説明図である。
【図１２】  従来例の概略説明図である。
【符号の説明】
１  エアーフットマッサージ機
２  足囲み部
３  空気供給手段
５  足
６  足太さ測定手段
７  制御部
８  センサ
９  巻装帯
１０  位置規制手段
【図１】
0004186476.tif 000002
【図２】
0004186476.tif 000003
【図３】
0004186476.tif 000004
【図４】
0004186476.tif 000005
【図５】
0004186476.tif 000006
【図６】
0004186476.tif 000007
【図７】
0004186476.tif 000008
【図８】
0004186476.tif 000009
【図９】
0004186476.tif 000010
【図１０】
0004186476.tif 000011
【図１１】
0004186476.tif 000012
【図１２】
0004186476.tif 000013